(57)【特許請求の範囲】
【請求項１】
光透過性支持体上に、単位図形が繰り返してなる金属細線パターンを有する光透過性導電材料であって、該単位図形が、主格子と、サテライト格子との組合せからなり、主格子と辺及び／または頂点を共有し主格子に隣接する格子の数が、サテライト格子と辺及び／または頂点を共有しサテライト格子に隣接する格子の数より多く、主格子を構成する金属細線上の任意の二点間の最長距離が、該二点を結んだ方向と垂直な方向における主格子の幅より長く、主格子及びサテライト格子が、図形を構成している辺上の任意の１点からその図形の辺をたどっていくと、最終的に元の点に戻ることのできる、閉じた図形であり、更に分割すると閉じた図形ではなくなる図形であることを特徴とする光透過性導電材料。
【請求項２】
前記主格子と辺及び／または頂点を共有し前記主格子に隣接する格子、及び、前記サテライト格子と辺及び／または頂点を共有し前記サテライト格子に隣接する格子が、図形を構成している辺上の任意の１点からその図形の辺をたどっていくと、最終的に元の点に戻ることのできる閉じた図形であり、更に分割すると閉じた図形ではなくなる図形である請求項１に記載の光透過性導電材料。
【請求項３】
金属細線パターン中にセンサー部となる領域を有し、前記センサー部は、一方向に伸びる帯状の導通する領域が、該方向に対して垂直な方向に複数列並んだ列電極から構成され、単位図形は列電極が伸びる方向及び列電極が並ぶ方向のそれぞれに沿って繰り返し並んでいる請求項１または２に記載の光透過性導電材料。
【請求項４】
前記センサー部の列電極が並ぶ方向における、列電極の帯状の導通する領域の最も幅が狭い部分において、単位図形が、センサー部の列電極が並ぶ方向に、３ヶ以上繰り返し並んでいる請求項３に記載の光透過性導電材料。
【請求項５】
前記主格子の形状が菱形である請求項１〜４のいずれか一項に記載の光透過性導電材料。
【発明の詳細な説明】
【技術分野】
【０００１】
本発明は、タッチパネル、有機ＥＬ材料、太陽電池などに用いられる光透過性導電材料に関し、投影型静電容量方式タッチパネルに好適に用いられ、単層静電容量方式タッチパネルに特に好適に用いられる光透過性導電材料に関するものである。
【背景技術】
【０００２】
スマートフォン、タブレット等のスマートデバイス、ＰＤＡ（パーソナル・デジタル・アシスタント）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により、光学方式、超音波方式、抵抗膜方式、表面型静電容量方式、投影型静電容量方式などがある。抵抗膜方式のタッチパネルは、光透過性導電材料と光透過性導電層付ガラスとがスペーサーを介して対向配置されており、光透過性導電材料に電流を流し光透過性導電層付ガラスにおける電圧を計測するような構造となっている。一方、静電容量方式のタッチパネルは、光透過性支持体上に光透過性導電層を有する光透過性導電材料を基本的構成とし、可動部分が無いことを特徴とすることから、高い耐久性及び高い光透過性を有する。このため静電容量方式のタッチパネルは様々な用途において適用され、中でも投影型静電容量方式のタッチパネルは、多点同時検出ができることから、スマートフォンやタブレットＰＣなどに広く用いられている。
【０００４】
従来、タッチパネル用途の透明電極（光透過性導電材料）としては一般に、ＩＴＯ（インジウム−錫酸化物）導電膜からなる光透過性導電層が光透過性支持体上に形成されたものが使用されてきた。しかしながら、ＩＴＯ導電膜は屈折率が大きいことから光の表面反射が多いため、ＩＴＯ導電膜を用いた光透過性導電材料では、全光線透過率が低下する問題や、可撓性が低いため屈曲した際にＩＴＯ導電膜に亀裂が生じて電気抵抗値が高くなるなどの問題があった。
【０００５】
ＩＴＯ導電膜に代わる光透過性導電層を用いた光透過性導電材料として、光透過性支持体上に網目形状を有する金属細線パターンを有するメタルメッシュ材料が脚光を浴びている。このメタルメッシュ材料を製造する方法としては、下地金属層を有する支持体上に薄い触媒層を形成し、その上に、レジストを用いたパターンを形成した後、めっき法によりレジスト開口部に金属層を積層し、最後にレジスト層及びレジスト層で保護された下地金属を除去することにより、網目形状を有する金属細線パターンを形成するセミアディティブ方法や、銀塩感光材料を利用する銀塩写真法、銀塩拡散転写法などの方法が提案されている。
【０００６】
これらの方法で作製されるメタルメッシュ材料は、ＩＴＯ導電膜を用いた光透過性導電材料に比べ、高い導電性と高い光透過性を両立させることができ、高い可撓性を有するなど様々な利点がある。中でも、銀で金属細線が形成できる銀塩拡散転写法は、均一な線幅を再現できることに加え、銀は金属の中で最も導電性が高いため、他方式に比べ、より細い線幅で高い導電性を得ることができる。
【０００７】
前述のメタルメッシュ材料は、導電性を有する金属細線自体に光透過性は無いが、網目形状のパターンを有することで光透過性と導電性を両立する。この網目形状としては、例えば特許文献１、特許文献２等に記載されているような、四角形、八角形などの多角形や、円、楕円などの公知の規則図形を単位図形として、その単位図形を繰り返してなる網目形状が知られている。また、特許文献３などに記載されている特殊な規則図形を単位図形として、その単位図形を繰り返してなる網目形状などが知られている。
【０００８】
上記したメタルメッシュ材料を、例えば投影型静電容量方式を用いたタッチパネルなどの、光透過性導電層の中に回路パターンを有する応用用途に用いるには、網目形状の金属細線パターンに断線部を設けて導通部分を区分けし、一枚のシート中に複数の回路（センサー部）を設けることが一般的に行われる。このような用途において、前記した規則図形を単位図形とした網目形状の金属細線パターンは、一般的に、幅が狭い回路パターンに対応し易いという利点があるものの、液晶ディスプレイのような規則パターンを有する構造体に重ねて用いる場合にはモアレが出やすい。一方、不規則な網目形状の金属細線パターンではモアレは出にくいが、幅が狭い回路パターンに適用した場合は、導電性にフレが大きくなるなどの欠点が存在するため、適用し難い。このため、応用用途の特徴に応じて規則図形を単位図形とした網目形状と不規則な網目形状は使い分けられていた。
【０００９】
該光透過性導電層では一般的に、第一の方向に伸び、第一の方向に対して垂直な方向に並んだ列電極（網目形状の金属細線パターンからなる列電極）が回路パターンとして用いられる。そして、センサーの感度を上げるために、列電極の幅が非常に狭くなっている光透過性導電層もある。このような場合には、前述の規則図形を単位図形とした網目形状の金属細線パターンが好適に用いられる。また従来、投影型静電容量方式を用いたタッチパネルとしては、ＩＴＯ導電膜や網目形状の金属細線パターンからなる光透過性導電層を２層重ねた２層静電容量方式タッチパネルが一般的に用いられる。しかし近年、単層の光透過性導電層のみを有する光透過性導電材料を用いた単層静電容量方式タッチパネルも、例えば特許文献４などで提案されている。単層静電容量方式タッチパネルでは、光透過性導電層に特殊なパターンを設けることで位置検出を可能としている。このように、単層静電容量方式タッチパネルでは光透過性導電層を重ねないことから、２層静電容量方式タッチパネルに比べて高い光透過性を有する点を特徴としている。
【００１０】
上記した単層静電容量方式タッチパネルでは、例えば特許文献４に記載されるように、光透過性領域（特許文献４の図３における３０１）の中に、静電容量を感知するセンサー部（同図における３０４）と、センサー部で感知した容量の変化を外部に取り出すための光透過性配線部（同図における３０２）が配置されている場合がある。この光透過性配線部は、できるだけ面積を取らないように細い形状で、かつセンサー部とは分けてまとめて配置される。また光透過性配線部は、比較的長い直線形状、あるいは比較的長い折れ曲がり線の形状で構成されていることが多い。メタルメッシュ材料を用いて単層静電容量方式タッチパネルを作製しようとすると、この長い線状の光透過性配線部は視認性が高いことから目立ってしまうので、例えば前述の特許文献３で提案されているように、光透過性配線部はセンサー部と同じ網目形状からなる金属細線パターンによって構成される。
【先行技術文献】
【特許文献】
【００１１】
【特許文献１】特開２００２−２２３０９５号公報
【特許文献２】特表２０１２−５１９３２９号公報
【特許文献３】特開２０１４−２４１１３２号公報
【特許文献４】特開２０１１−１８１０５７号公報
【発明の概要】
【発明が解決しようとする課題】
【００１２】
タッチパネルは一般的に、長方形のディスプレイに重ねて用いられ、該ディスプレイにはブラックマトリックスや液晶セル、発光セルなどの素子が組み込まれている。通常これらの素子は、ディスプレイの辺（外郭の辺）に平行、あるいは垂直に並べられている。前述の通り、幅の狭い列電極を有するタッチパネル（感度が高いタッチパネル）では、規則図形を単位図形とする網目形状の金属細線パターンが好ましく用いられるが、一方で規則図形を単位図形とするとモアレが発生しやすい。なお、モアレとは複数の周期的パターンを重ねた際に視認される意図しない模様のことで、特に網点という周期パターンを重ねて使うカラー印刷分野などでは古くから知られた現象であり、見栄えの点からその発生は問題とされる。その発生機構と改善対策については例えば「標準ＤＴＰ出力講座（（株）翔泳社１９９７年９月３０日発行）」１３８頁などに記載されている。網目形状の金属細線パターンとディスプレイの素子とのモアレには、ディスプレイの素子の並ぶ角度（ディスプレイの辺の方向に相当し、以下、“Ｘ方向”、Ｙ方向”と略す）と、金属細線パターンの金属細線の方向との角度差が少ないことで発生する角度のモアレと、Ｘ、Ｙそれぞれの方向の素子の繰り返し周期と、同方向の金属細線パターンの単位図形の繰り返し周期（従って単位図形のＸ、Ｙそれぞれの方向の幅）との差が少ないことで発生する周期のモアレの二つからなる。従って、単位図形として規則図形を選ぶ際には、モアレを避けるために、単位図形のＸ、Ｙそれぞれの方向の幅がディスプレイの素子のＸ、Ｙそれぞれの方向の周期とずれており、単位図形を形成する金属細線の辺の角度がＸ、Ｙ両方向とは離れた角度を選択する必要がある。
【００１３】
また前述の通り、２層静電容量方式タッチパネルの感度を高くするために列電極の幅を狭くしようとすると、列電極の幅方向における単位図形の幅を狭くしなければ、その狭い列電極内に、導電性を確保するために必要な数の単位図形が収まらない。列電極の幅方向における単位図形の幅が広いと、列電極の幅方向に収まる単位図形の数が少なくなって列電極の抵抗が高くなり、そのため逆に感度が低下したり、場合によっては列電極が断線してしまう場合がある。また、列電極の幅方向における単位図形の幅を狭くすると、列電極の伸びる方向における単位図形の幅を広くしないと、光透過性が悪化する。光透過性を悪化させないよう、列電極の伸びる方向における単位図形の幅を広くした場合には、単位図形を形成する辺の角度がＸ、Ｙのどちらかの方向に近づき、角度のモアレが発生し易くなる。ここに述べたように、狭い列電極幅を有する静電容量方式タッチパネルに用いた場合にモアレが発生し難く、列電極の抵抗を低くできるメタルメッシュ材料の光透過性導電材料が求められている。
【００１４】
更に前述の通り、単層静電容量式タッチパネルにおいては、比較的長い直線形状、あるいは比較的長い折れ曲がり線形状の光透過性配線部を光透過性領域内（ディスプレイのアクティブエリア内）に有する。この光透過性配線部にはセンサーとしての機能がないことから、可能な限りその占める面積を小さくすることが望まれ、そのため光透過性配線部の専有面積が小さくなるような単位図形が適宜選択される。しかしながら、従来から知られる一般的な方法では以下の説明のように、光透過性配線部の専有面積を小さくするには限界があった。
【００１５】
図１は従来技術の問題点を説明するための図である。図１においてａ−１は、例えばＩＴＯ導電膜などの光透過性導電層を用いた場合の、ベタ配線（幅広な塗り潰しパターンの配線）がまとめて配置された光透過性配線部３１を示す図であり、この光透過性配線部分は配線部０１と非配線部０２から構成される。ａ−１を一般的な網目形状の金属細線パターンで構成した具体例を示した図がａ−２〜ａ−７である。金属細線パターンの特徴として、電気の流れる部分（ａ−１における配線部０１）は金属細線パターンからなる単位図形（菱形など）を連ねることによって光透過性配線部とするが、電気の流れない部分（ａ−１における非配線部０２）に何もパターンを設けないと、配線部０１と非配線部０２とでその境界が視認されてしまうという視認性の問題がある。このため、非配線部０２にも断線部を含む金属細線パターンを設けるなどして、配線部０１と非配線部０２の見かけ上の差異を少なくすることにより視認性の問題を解決し、かつ配線部０１と非配線部０２との間の導通を遮断する、あるいは配線同士の短絡を防ぐようにするのが一般的である。図１のａ−２〜ａ−７においては、破線部は上記の目的のために設けられた断線部を含む金属細線パターンを、実線部は断線部の無い金属細線パターンをそれぞれ模式的に示している。
【００１６】
ａ−２は、配線部０１が金属細線パターンからなる複数の菱形３から構成され、非配線部０２が断線部を含む金属細線パターン（ダミー部）からなる複数の菱形４から構成される光透過性配線部を示した図である。この例では菱形４の存在により光透過性配線部３１が視認されてしまうという問題は解決される。一方で前述の通り、光透過性配線部３１の占める面積は可能な限り小さくしたいという要望があり、そのためには配線部０１と非配線部０２の幅を狭くする必要がある。配線部０１の幅を狭くする方法として挙げられるのが、単位図形をそれと相似形であるが、大きさが小さい単位図形に置き換える方法と、図１のｘ方向における単位図形の幅を狭くする方法である。前者の場合、光透過性が低くなるという問題がある。また後者の場合、単位図形の辺の角度が図１のｙ方向に近くなり、液晶ディスプレイと重ねた場合、Ｘ、Ｙ両方向（図１のｘ方向、ｙ方向と一致させることが多い）にパターンを持つブラックマトリックスなどとモアレを起こしてしまうという問題を有する。
【００１７】
ａ−３は光透過性を維持するために、単位図形はａ−２と同じで、断線位置を変え、配線部０１の幅３７はｘ方向の単位図形の繰り返し周期３５と同じままで、非配線部０２の幅３６を狭くすることにより、光透過性配線部の専有面積を小さくした例である。ａ−３において配線部０１の１筋である配線部３１１は断線部の無い金属細線パターンからなる菱形が連なってなるので、ｙ方向には導通する金属細線パターン２本で繋がっているが、配線部３１１の２つ隣に配置されている、配線部０１の他の１筋である配線部３１２は、菱形の一部が断線部を含む金属細線パターンに置き換えられた図形が連なってなるため、導通する金属細線パターン１本のみでｙ方向に繋がっている。従って、配線部３１１と配線部３１２では導電性が異なってくるため、ａ−３の光透過性配線部３１を用いるとタッチセンサーとしての動作が悪くなるという問題が発生する。ａ−４は、非配線部０２の幅３６を狭くした分、配線部０１の幅３７を広くして、全ての配線部０１が、導通する金属細線パターン２本でｙ方向に繋がるようにした例であるが、ａ−２と比べて、配線部０１の本数に対して光透過性配線部３１が占める面積は小さくなっていない。しかも、配線部０１は相変わらず２本の金属配線パターンでのみｙ方向に繋がっているので、ａ−２と比較して光透過性配線部３１の導電性は向上していない。ａ−５は非配線部０２の幅３６を狭くし、同時にダミー部の単位図形のｘ方向の幅も同様に狭くした例である。この場合、ダミー部の金属細線の辺の角度がｙ方向に対し浅い角度となっているため、ブラックマトリックスとのモアレが発生し易い。
【００１８】
一方、単位図形となる菱形の大きさを例えば２倍にすれば、光透過性配線部３１の光透過性は高くなる。これを示したのがａ−６である。ａ−６の金属細線パターンでは、断線部のない金属細線（実線）と断線部を含む金属細線（破線）により形成される菱形５からなる単位図形により配線部０１及び非配線部０２が構成される。ａ−２の光透過性配線部３１に比べて、ａ−６の光透過性配線部３１の光透過性が高くなるのは明らかである。しかしａ−６では配線部０１が金属細線１本のみで構成されるため、製造時のトラブルにより配線部０１に断線が生じた場合、良好なタッチセンサーが得られる割合、いわゆる歩留まりが著しく低下し、生産信頼性が損なわれるという問題が生じる。なお、ａ−２の金属細線パターンでは少しの断線があっても、該断線部が、菱形３と、隣接する菱形３の交点部に生じない限り、断線していないもう１本の金属細線により導通は保たれるので、生産信頼性はａ−６の光透過性配線部３１に比べ格段に高い。
【００１９】
ａ−７は、光透過率を高くするためにａ−１の配線部０１の輪郭部分にのみ金属細線パターン６を配置したものである。しかしこのようなパターンでは金属パターンが液晶ディスプレイのブラックマトリックスと干渉し、モアレが発生する。
【００２０】
本発明の課題は、ディスプレイと重ねてもモアレが発生しにくく、かつ高い光透過性と高い導電性を有し、生産信頼性にも優れた光透過性導電材料を提供することであり、また、単層静電容量方式タッチパネルに用いた場合には、光透過性領域内での光透過性配線部の占有面積を小さくできる光透過性導電材料を提供することである。
【課題を解決するための手段】
【００２１】
本発明の上記課題は、光透過性支持体上に、単位図形が繰り返してなる金属細線パターンを有する光透過性導電材料であって、該単位図形が、主格子と、サテライト格子との組合せからなり、主格子と辺及び／または頂点を共有し主格子に隣接する格子の数が、サテライト格子と辺及び／または頂点を共有しサテライト格子に隣接する格子の数より多く、主格子を構成する金属細線上の任意の二点間の最長距離が、該二点を結んだ方向と垂直な方向における主格子の幅より長く、主格子及びサテライト格子が、図形を構成している辺上の任意の１点からその図形の辺をたどっていくと、最終的に元の点に戻ることのできる図形（これを“閉じた”図形という。）であり、更に分割すると“閉じた”図形ではなくなる図形であることを特徴とする光透過性導電材料によって基本的に解決される。
【００２３】
主格子と辺及び／または頂点を共有し主格子に隣接する格子、及び、サテライト格子と辺及び／または頂点を共有しサテライト格子に隣接する格子が、“閉じた”図形であり、更に分割すると“閉じた”図形ではなくなる図形であることが好ましい。
【００２４】
金属細線パターン中にセンサー部となる領域を有し、センサー部は、一方向に伸びる帯状の導通する領域の複数列が、該方向に対して垂直な方向に並んだ列電極から構成され、単位図形は列電極が伸びる方向及び列電極が並ぶ方向のそれぞれに沿って繰り返し並んでいることが好ましい。
【００２５】
センサー部の列電極が並ぶ方向における、列電極の帯状の導通する領域の最も幅が狭い部分において、単位図形が、センサー部の列電極が並ぶ方向に、３ヶ以上繰り返し並んでいることが好ましい。
【００２６】
主格子の形状が菱形であることが好ましい。
【発明の効果】
【００２７】
本発明により、ディスプレイと重ねてもモアレが発生しにくく、かつ高い光透過性と高い導電性を有し、生産信頼性にも優れた光透過性導電材料を提供することができ、また、単層静電容量方式タッチパネルに用いた場合には、光透過性領域内での光透過性配線部の占有面積を小さくできる光透過性導電材料を提供することができる。
【図面の簡単な説明】
【００２８】
【図１】従来技術の問題点を説明するための図
【図２】本発明の光透過性導電材料の一例を示す概略図
【図３】本発明の光透過性導電材料のまた別の一例を示す概略図
【図４】単位図形を説明するための図
【図５】主格子とサテライト格子を説明するための図
【図６】別の単位図形を持った網目形状の金属細線パターンを示す概略図
【図７】別の単位図形を持った網目形状の金属細線パターンを示す概略図
【図８】別の単位図形を持った網目形状の金属細線パターンを示す概略図
【図９】別の単位図形を持った網目形状の金属細線パターンを示す概略図
【図１０】別の単位図形を持った網目形状の金属細線パターンを示す概略図
【図１１】主格子の幅を説明するための図
【図１２】本発明の利点を説明するための図
【図１３】本発明の利点を説明するための図
【発明を実施するための形態】
【００２９】
以下、本発明について詳細に説明するにあたり、図面を用いて説明するが、本発明はその技術的範囲を逸脱しない限り様々な変形や修正が可能であり、以下の実施形態に限定されない。
【００３０】
図２は本発明の光透過性導電材料の一例を示す概略図である。図２において、光透過性導電材料１は光透過性支持体２の上に、単位図形が繰り返してなる金属細線パターンからなるセンサー部１１と、単位図形が繰り返してなる金属細線パターンからなり、少なくともセンサー部１１との境界部に断線部を有するダミー部１２とを有する。また光透過性導電材料１は、センサー部１１とダミー部１２以外に、金属パターンからなる配線部１４や端子部１５を有する。センサー部１１は配線部１４を介し端子部１５に電気的に接続しており、この端子部１５を通して外部に電気的に接続することで、センサー部１１で感知した静電容量の変化を捉えることができる。一方、ダミー部１２は端子部１５に電気的に接続されていない。１３は金属によるパターンが存在しない非画像部である。なお、本発明においてセンサー部１１とダミー部１２は微細な網目状の金属細線パターンからなるが、図２においては便宜的に、実在しない仮の境界線ａにてそれらの領域を表している（センサー部１１及びダミー部１２は無地にて示したが、実際には金属細線パターンが存在し、仮の境界線ａに沿って断線部が存在する。）。図２のような光透過性導電材料は、センサー部１１が伸びる方向（図２ではｘ方向）を変更したパターンのものと２枚重ねることにより、２層静電容量方式タッチパネルに好ましく用いられる。
【００３１】
図３は本発明の光透過性導電材料のまた別の一例を示す概略図であり、（３−１）は全体図、（３−２）は（３−１）の一部を拡大した拡大図である。図３において、光透過性導電材料１は光透過性支持体２の上に、それぞれ単位図形が繰り返してなる金属細線パターンからなるものであるセンサー部１１とダミー部１２と光透過性配線部３１と参照センサー部３２とを有する。光透過性配線部３１は、配線部０１と非配線部０２を有し、ダミー部１２と非配線部０２は、少なくとも他の領域との境界部に断線部を有する。更に図３の光透過性導電材料は、これらの領域以外に、ベタ配線からなる配線部１４や端子部１５、あるいは金属によるパターンが存在しない非画像部１３を有していても良い。センサー部１１と参照センサー部３２は、光透過性配線部３１と配線部１４を介し端子部１５に電気的に接続しており、この端子部１５を通して外部に電気的に接続することで、センサー部１１と参照センサー部３２とで感知した静電容量の変化を捉えることができる。一方、非配線部０２とダミー部１２は端子部１５に電気的に接続されていない。なお図３において、センサー部１１の領域とダミー部１２の領域との境界を実在しない仮の境界線ａにて表しており（ダミー部１２は無地にて示したが、実際には断線部を有する金属細線パターンが存在する。）、他の領域も仮の境界線にて表している。図３のような光透過性導電材料は単層静電容量方式タッチパネルに好ましく用いられる。
【００３２】
前述の通り、図２におけるセンサー部１１とダミー部１２、あるいは図３におけるセンサー部１１、ダミー部１２、光透過性配線部３１、参照センサー部３２は単位図形が繰り返してなる金属細線パターンからなる。センサー部１１、ダミー部１２、光透過性配線部３１、参照センサー部３２の単位図形の形状は、それぞれ同じであっても異なっていても良く、また、光透過性導電材料上の位置によって異なっていても良いが、全て同じ単位図形からなることが好ましい。なお、ダミー部１２や非配線部０２においては、少なくとも他の領域との境界部に断線部を有するのに加え、それらの領域の内部を構成する金属細線パターン中にも断線部を有することが好ましい。そして本発明において、ダミー部１２や非配線部０２などの断線部を有する単位図形の形状を論ずる際には、断線部はそれを繋がったものとして考えることとする。
【００３３】
金属細線パターンの線幅は２０μｍ以下であることが好ましく、より好ましくは１〜１５μｍであり、更に好ましくは２〜１０μｍである。その開口率（センサー部１１、ダミー部１２、光透過性配線部３１、参照センサー部３２等が占める面積に対する、金属細線のない部分が占める面積の割合）は９５％以上が好ましく、更に好ましくは９６〜９８％である。また、ダミー部１２や非配線部０２においては、断線部を設けることにより他の領域との間やそれらの内部での導通を遮断している。断線部の長さ（金属細線が途切れている長さ）は１〜５０μｍが好ましく、更に好ましくは５〜２０μｍである。断線方法としては、金属細線に、垂直や斜めに欠損部を設ける方法や、特開２０１４−１２７１１５号公報などに提案されている方法など、公知の方法を用いることができる。
【００３４】
本発明において「単位図形」とは、その単位図形のみを繰り返し並べることで全体の図形となるような最小面積（金属細線とそれに囲まれる領域を含めた単位図形の面積として）の図形である。また、本発明において「繰り返し並べる」とは、一つの単位図形と、その隣に並べる単位図形が、辺及び／または頂点を共有するようにして平面上に重複無く並べて、全体の図形である規則的な網目図形を形成することを意味する。但しここで、２つの単位図形が辺及び／または頂点を共有するとは、一つの辺や頂点が一方の単位図形の辺や頂点であると同時に、もう一方の単位図形の辺や頂点であることを意味し、単位図形を繰り返し並べて全体の図形を形成する際には、単位図形同士が共有している辺や頂点においては、金属細線の幅で重複していると言うこともできる。更に、該単位図形は原則的に“閉じた”図形のみから構成されるが、例外的に“開いた”図形を単位図形の一部とすることもできる。但し、その図形を含む単位図形でなければ、全体の図形とならない場合のみを例外とする。なお本発明において、単位図形の辺は直線のみならず曲線であってもよい。そして、“閉じた”図形とは、図形を構成している辺上の任意の１点から、一筆書きの要領でその図形の辺をたどっていくと、最終的に元の点に戻ることのできる図形のことを言い、例えば円、楕円、多角形などがそれに当たる。一方、“開いた”図形とはそうならない図形のことで、例えば線分などがそれに当たる。
【００３５】
以上の内容を、図４を使って説明する。図４においてメッシュ４１は本発明の光透過性導電材料に用いられる網目形状の金属細線パターンである。メッシュ４１を解析すると、メッシュ４１を構成する“閉じた”図形の要素として格子４２〜４５がある。格子４２と格子４３はそれぞれ、もうそれ以上分割すると“閉じた”図形とならない格子（以下、最小閉格子という）ではあるものの、それら単独ではメッシュ４１を作ることができないので、本発明においては単位図形とは言わない。格子４４と格子４５はそれら単独でメッシュ４１を形成できる。そして、前述の通り、本発明において単位図形は最小の図形であると定義した。格子４４と格子４５の面積を比較するため、格子４４と格子４５を重ねたのが図形４６である。図形４６から判るように、格子４４は格子４５の中に収まっており、格子の占める面積は格子４４の方が小さい。よって、メッシュ４１の単位図形は格子４４になる。なお、本発明における例外的に“開いた”図形を含む単位図形からなる網目形状の金属細線パターンの例としてメッシュ４７とその単位図形４８が挙げられる。
【００３６】
本発明の光透過性導電材料が有する単位図形は、主格子とサテライト格子との組合せからなる。前述の通り、本発明の光透過性導電材料が有する単位図形は、複数の最小閉格子（例えば、図４の単位図形４４における格子４２と格子４３）の組み合わせや、場合によっては例外的に“開いた”図形とも組み合わせて構成される（例えば、図４の単位図形４８は、最小閉格子である大きな菱形格子と小さな菱形格子と、更に例外的な“開いた”図形である線分の３つの組み合わせである。）。本発明において主格子とは、単位図形を構成する最小閉格子の内で、網目形状の金属細線パターン中でその格子が有する辺及び／または頂点を共有し、かつその格子と隣接する格子の数が、単位図形を構成する他の最小閉格子よりも多く、かつ最多であるものを言う。そして、主格子とサテライト格子は最小閉格子であることが好ましく、主格子と辺及び／または頂点を共有し主格子に隣接する格子、及び、サテライト格子と辺及び／または頂点を共有しサテライト格子に隣接する格子も最小閉格子であることが好ましい。なお、図４において、格子４５は、単位図形である格子４４を構成していないことから、主格子及びサテライト格子のいずれにも該当しない。
【００３７】
この内容を、図５を用いて説明する。図５は主格子とサテライト格子を説明するための図であり、図４の網目形状の金属細線パターンを形成する単位図形４４を構成している最小閉格子である格子４２と格子４３をそれぞれ中心にして、それに隣接する格子のみを図示した。本発明において、隣接する格子は主格子であってもサテライト格子であっても、更にはそれら以外の格子であっても良い。図５で判るように、格子４２と辺または頂点を共有する格子の数は４つであり、格子４３と辺または頂点を共有する格子の数は８つである。従って、辺及び／または頂点を共有し、かつ隣接する格子の数が、単位図形を構成する他の最小閉格子よりも多く、かつ最も多いのは格子４３であり、これが本発明における「主格子」となる。このような主格子は最も導電性に寄与する。本発明においては、単位図形を構成する最小閉格子の内、主格子以外の格子は全てサテライト格子とする。
【００３８】
図６はまた別の単位図形を用いた網目形状の金属細線パターンを示す概略図である。図６において、メッシュ６１は単位図形６２（太線で図示）からなり、単位図形６２は格子６３、６４及び６５からなる。格子６３と辺または頂点を共有する格子の数は８つであり、格子６４と辺または頂点を共有する格子の数は４つであり、格子６５と辺または頂点を共有する格子の数は４つであるので、主格子は格子６３であり、格子６４と格子６５はサテライト格子となる。図７は更にまた別の単位図形を用いた網目形状の金属細線パターンを示す概略図である。図７において、格子７４は格子７５よりも面積が小さいため、メッシュ７１は単位図形７２（太線で図示）からなり、単位図形７２は格子７３、７４からなる。格子７３と辺または頂点を共有する格子の数は４つであり、格子７４と辺または頂点を共有する格子の数は８つであるので、主格子は格子７４であり、格子７３はサテライト格子となる。
【００３９】
図８はまた別の単位図形を用いた網目形状の金属細線パターンを示す概略図である。図８において、メッシュ８１は単位図形８２（太線で図示）からなり、単位図形８２は格子８３、８４及び８５からなる。格子８３と辺または頂点を共有する格子の数は８つであり、格子８４と辺または頂点を共有する格子の数は８つであり、格子８５と辺または頂点を共有する格子の数は４つであるので、主格子は格子８３と格子８４の二つとなる。このように本発明においては、主格子は一つでなくとも良く、複数あっても良い。また図８においては主格子８３と主格子８４は合同な図形であるが、相似形であっても良いし、また形も異なっていても良い。図９におけるメッシュ９１は、平行四辺形からなる主格子９２と、円からなるサテライト格子９３と、同様な円からなるサテライト格子９４が組み合わさってなる単位図形から構成されており、図１０におけるメッシュＡ１は、楕円と菱形に囲まれた部分が切り取られてできた形状の主格子Ａ２と、同様な主格子Ａ３と、菱形からなるサテライト格子Ａ４が組み合わさってなる単位図形から構成される。
【００４０】
本発明の光透過性導電材料が有する単位図形は、その主格子を構成する金属細線上の任意の二点間の最長距離が、該二点を結んだ方向と垂直な方向における主格子の幅より長い。この内容を、図１１を使って説明する。図１１は主格子の幅を説明するための図であり、図４、図６、図１０で示した主格子４３、６３、Ａ２を取り出したものである。
主格子４３を構成する金属細線上の任意の二点の内、二点間の距離が最も長くなるのが頂点４３１と頂点４３２の二点になる。この二点を結ぶ線分４３１−４３２に垂直な線は点線４３３になる。主格子を構成する金属細線上の任意の二点間の距離が最大となる二点を結んだ方向と垂直な方向における主格子の幅とは、上記二点間を結んだ直線と平行かつ主格子と接触する線分のうち互いに最も距離が遠い２つの線分同士の距離となるため、点線４３３の方向における主格子４３の幅は両矢印Ｂ１で示した長さとなる。本発明においては、線分４３１−４３２の長さの方が両矢印Ｂ１の長さより長い。
次に主格子６３について述べる。主格子６３を構成する金属細線上の任意の二点の内、最も距離が長くなる二点は複数あるが、例えば頂点６３１と頂点６３２の二点になる。この二点を結んだ線分６３１−６３２に垂直な線は点線６３３になる。主格子を構成する金属細線上の任意の二点間の距離が最大となる二点を結んだ方向と垂直な方向における主格子の幅は、上記二点間を結んだ直線と平行かつ主格子と接触する線分のうち互いに最も距離が遠い２つの線分同士の距離となるため、点線６３３の方向における主格子６３の幅は両矢印Ｂ２で示した長さとなる。線分６３１−６３２の長さは両矢印Ｂ２の長さより長い。また、頂点６３４と頂点６３５を結んだ線分の長さは線分６３１−６３２の長さに等しく、線分６３４−６３５に垂直な方向における主格子６３の幅は、線分６３１−６３２での関係と同様に、線分６３４−６３５より短い。このように本発明において、主格子を構成する金属細線上の任意の内、最も二点間の距離が長くなる二点が複数組存在する場合は、その全ての二点の組合せにおいて二点を結んだ方向と垂直な方向における主格子の幅よりも、二点間距離が長くなる関係を有する。
最後に主格子Ａ２について考えると、主格子Ａ２を構成する金属細線上の任意の二点の内、最も距離が長くなる二点は複数あるが、例えば頂点Ａ２１と頂点Ａ２２の二点になる。この二点を結んだ線分Ａ２１−２２に垂直な線は点線Ａ２３になる。主格子を構成する金属細線上の任意の二点間の距離が最大となる二点を結んだ方向と垂直な方向における主格子の幅は、上記二点間を結んだ直線と平行かつ主格子と接触する線分のうち互いに最も距離が遠い２つの線分同士の距離となるため、線分Ａ２３の方向における主格子の幅は両矢印Ｂ３で示した長さとなる。線分Ａ２１−Ａ２２の距離は両矢印Ｂ３の長さより長い。
【００４１】
本発明の光透過性導電材料が有する単位図形を構成する主格子の形状としては、上記主格子を構成する金属細線上の任意の二点間の最長距離が、該二点を結んだ方向と垂直な方向における主格子の幅より長いという関係が保たれる限り、特にどのような形をしていても良い。また、辺が曲線で構成され、辺上に全く頂点（角）が無い形でも良い。この形としては例えば正三角形、二等辺三角形、直角三角形などの三角形、長方形、平行四辺形、台形、菱形などの四角形（但し正方形を除く）、六角形、八角形（但し正八角形を除く）、十二角形（但し正十二角形を除く）、二十角形（但し正二十角形を除く）などの多角形、楕円、星形、及びこれらの組合せなどが挙げられ、また、繰り返し並べることができるなら、不定形でも良く、更にこれらの図形を組み合わせた後、切り取ってできる図形、例えば主格子６３や主格子Ａ２のような形状でも良い。格子の辺の方向は、電極の伸びる方向（ｘ方向）または電極の並ぶ方向（ｙ方向）に対して２３〜６７°の範囲であることが好ましく、更に好ましくは２５〜６５°の範囲である。これらの中でも、モアレの発生が抑えられ、導電性が高くなる菱形（正方形を除く）、あるいは菱形の一部を切り取ることによってできる図形（例えば主格子６３）が好ましい。
【００４２】
本発明の光透過性導電材料が有するサテライト格子の形状としては、主格子のような制限はなく、様々な形状の格子を利用することができる。そしてこちらも、辺が曲線で構成され、辺上に全く頂点（角）が無い形でも良い。この形としては、例えば正三角形、二等辺三角形、直角三角形などの三角形、正方形、長方形、平行四辺形、台形、菱形などの四角形、六角形、八角形、十二角形、二十角形などの多角形、楕円、星形、及びこれらの組合せなどの公知の形状が挙げられ、また、繰り返し並べることができるなら、不定形でも良く、更にこれらの図形を組み合わせた後、切り取ってできる図形でも良い。好ましいサテライト格子の形状としては主格子と同様であるが、更に主格子の相似形であることが、モアレなどの発生を抑える観点から好ましい。
【００４３】
本発明の光透過性導電材料が有する単位図形の辺（主格子とサテライト格子の辺）は、直線でなくともよく、例えばジグザグ線、波線、曲線などで構成されていても良いが、直線であることが、光透過性を最大にし、導電性を高める上で好ましい。単位図形は電極の並ぶ方向（ｘ方向）及び電極の伸びる方向（ｙ方向）のそれぞれに沿って繰り返し並んでいる（単位図形一つ当たり一カ所の特定位置を選び、繰り返し並ぶ単位図形のそれぞれの特定位置を繋いだ直線の中に、ｘ方向あるいはｙ方向に伸びる直線がある）ことが好ましく、単位図形が繰り返し並ぶ方向が、電極の並ぶ方向と電極の伸びる方向からずれる場合は±５°以内にすることが好ましい。
【００４４】
本発明においてセンサー部１１及びダミー部１２を構成する金属細線パターンや、ベタ配線からなる配線部１４及び端子部１５等を構成する金属パターンは、金属、特に金、銀、銅、ニッケル、アルミニウム及びこれらの複合材からなることが好ましい。これら金属によるパターンを形成する方法としては、銀塩感光材料を用いる方法、同方法を用い更に得られた銀画像に無電解めっきや電解めっきを施す方法、スクリーン印刷法を用いて銀ペースト、銅ペーストなどの導電性インクを印刷する方法、銀インクや銅インクなどの導電性インクをインクジェット法で印刷する方法、あるいは蒸着やスパッタなどで支持体上に導電性層を形成し、その上にレジスト膜を形成し、露光、現像、エッチング、レジスト層除去することで得る方法、銅箔などの金属箔を貼り、更にその上にレジスト膜を形成し、露光、現像、エッチング、レジスト層除去することで得る方法など、公知の方法を用いることができる。中でも得られる金属細線パターンの厚みが薄くでき、更に極微細な金属細線パターンも容易に形成できる銀塩拡散転写法を用いることが好ましい。これらの手法で作製した金属細線パターンや金属パターンの厚みは、厚すぎると後工程（例えば他の部材との貼合工程）が困難になる場合があり、また薄すぎると必要な導電性を確保し難くなる。よって、その厚みは０．０１〜５μｍが好ましく、より好ましくは０．０５〜１μｍである。本発明の光透過性導電材料は光透過性支持体の片面のみに金属細線パターンを有していても良いし、あるいは両面に有していても良い。なお、前述の銀塩拡散転写法については、例えば特開２００３−７７３５０号公報、特開２００５−２５０１６９号公報、及び特開２００７−１８８６５５号公報等に詳しく記載されている。
【００４５】
本発明の光透過性導電材料が有する光透過性支持体としては、プラスチック、ガラス、ゴム、セラミックス等が好ましく用いられる。これら光透過性支持体は全光線透過率が６０％以上であるものが好ましい。プラスチックの中でも、フレキシブル性を有する樹脂フィルムは、取扱い性が優れている点で好適に用いられる。光透過性支持体として使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等からなる厚さ５０〜３００μｍの樹脂フィルムが挙げられる。光透過性支持体には易接着層など公知の層が設けられていても良い。
【００４６】
本発明の光透過性導電材料は、前述した光透過性支持体や易接着層及び金属細線パターン以外に、ハードコート層、反射防止層、粘着層、防眩層など公知の層を光透過性支持体と金属細線パターンの間や、光透過性支持体の金属細線パターンを有さない側の面上、あるいは金属細線パターンの上に有することができる。また、光透過性支持体と金属細線パターンとの間に、物理現像核層、接着剤層など公知の層を有することができる。
【００４７】
図２は前述の通り、２層静電容量方式タッチパネルに典型的に使用される金属パターンを有する光透過性導電材料の概略図である。センサー部１１とダミー部１２の領域の形状は仮の境界線ａで示した。センサー部１１は、図中ｘ方向に伸びる帯状の導通する領域の複数列が、ｘ方向に対して垂直な方向である図中ｙ方向に並んだ列電極から構成され、１本の列電極の領域の形状は一般的にダイヤモンドタイプと呼ばれる形状であって、ｘ方向及びｙ方向に対し４５°傾いた正方形の領域がｘ方向に並び、ｘ方向で隣接する正方形領域との間で、それらの頂点部分が連結した形状になっていることで、配線部１４から対向する配線部１４まで導通している。このセンサー部１１の列電極がｙ方向に並ぶ周期は、使用するコントローラーＩＣの性能や設定にもよるが、２０インチ前後のタッチパネルでは一般的には５ｍｍ程度であり、１本の列電極の領域で、ｙ方向に対し最も幅の狭い部分の幅は０．５〜２ｍｍであることが好ましい。図示していないが、ダイヤモンドタイプ以外にも、列電極が単純な長方形の形状をしたバータイプや、長方形内部にダミー部１２を設けた変形バータイプなどのパターンが知られているが、これらのタイプのセンサー部１１における列電極の、最も幅の狭い部分の幅は０．５〜５ｍｍであることが好ましい。これらセンサー部１１の列電極の帯状の導通する領域の最も幅の狭い部分（ダイヤモンドタイプの正方形領域同士の連結部分であるくびれ部分）においても本発明は有効に作用し、その部分において、網目形状の金属細線パターンの単位図形（主格子とサテライト格子の組合せ）は、図２のｙ方向に少なくとも２ヶ、好ましくは３ヶ以上が並ぶことが、金属細線の断線などによりセンサー部１１全体の動作不良を起こさないために好ましい。
【００４８】
図２で示す２層静電容量方式タッチパネルに本発明を使った場合の利点について、図１２を使って説明する。なお、図１２においてはｘ方向には数列しか単位図形を並べていないが、これは説明の便宜のためのものである。また、図２のｘ方向は図１２のｙ方向に相当する。
【００４９】
１２−１は比較のための光透過性導電材料であって、長軸対角線長さ２８０μｍ、短軸対角線長さ１３５μｍの菱形の単位図形を並べた公知の網目形状の金属細線パターンである。金属細線の線幅が３μｍの場合、開口率は９５．１１％となる。例えばフルＨＤ規格の２３インチタッチパネルではディスプレイ素子のピッチは２６５μｍ程度であり、この素子の周期と、金属細線パターンのｙ方向の周期である菱形の長軸対角線長さに１５μｍの差しかないため、周期のモアレが発生し易い条件となる。一方、金属細線パターンの角度はｙ方向に対し２５．７°と角度のモアレが発生しない条件である。１２−２は、１２−１の単位図形を主格子とし、サテライト格子として辺の長さが主格子の半分の相似形菱形を配置した、本発明の光透過性導電材料である。１２−２の開口率は１２−１と同じ値で、金属細線パターンのｙ方向の周期は４２０μｍ（２８０μｍ＋１４０μｍ）となり、周期モアレの発生を避けられる条件となっている。１２−３は比較のための光透過性導電材料であって、長軸対角線長さ４２０μｍ、短軸対角線長さ１３５μｍの菱形を並べた公知の網目形状の金属細線パターンである。１２−３における金属細線パターンの角度は２１．０９°と角度のモアレが発生し易い条件となる。１２−４も比較のための光透過性導電材料であって、１２−２で用いた主格子及びサテライト格子と同じ形の菱形を、１２−２の並べ方とは別の方法で並べた網目形状であり、どちらの大きさの菱形も隣接する格子の数は８つで同じになるので、本発明の光透過性導電材料ではない。１２−２と同様、金属細線パターンのｙ方向の周期は４２０μｍと周期のモアレの発生を避けられる条件となっており、金属細線パターンの角度もｙ方向に対し２５°を超えているので、角度のモアレも発生しない条件となる。一方で開口率は９３．５％と１２−２に比べて大きく劣った値となっている。１２−５も比較のための光透過性導電材料であって、１２−１、１２−２と同じ開口率となるよう、正方形の主格子と正方形のサテライト格子を組み合わせた例である。１２−５の金属細線パターンのｙ方向の周期は２５７．２μｍとなる。例えば、列電極の帯状の導通する領域の最も幅が狭い部分の幅が０．５ｍｍのセンサー部１１では、１２−１〜１２−３の金属細線パターンを用いると、その部分に、図２のｙ方向に３つの単位図形を並べることができるが、１２−５の金属細線パターンでは２つしか並べられない。
【００５０】
図１２において、１２−６は１２−１の単位図形をｙ方向に１列３段、１２−７は１２−２の単位図形をｙ方向に１列２段、１２−８は１２−３の単位図形をｙ方向に１列２段並べた図であり、本発明の金属細線パターンを有する光透過性導電材料の断線発生確率を計算するため、１２−１〜１２−３を簡易化した図である。金属細線パターンの単位長さ当たりの断線発生確率が同じとして、１２−７におけるイ−ロ間の断線発生確率が５％であったとする。その場合、１２−６〜１２−８のイ−ハ間に断線が発生して、電気的な接続がなくなる確率を数学的に計算すると、１２−６が０．７４８％、１２−７が０．５８２％、１２−８が１．３７％と本発明の光透過型導電材料の断線発生確率が従来の方法に比べ低いことが判る。以上の説明から２層静電容量方式タッチパネルに本発明を使った場合の利点について良く理解できる。
【００５１】
図３は前述の通り、単層静電容量方式タッチパネルの概略図である。図３においてセンサー部１１、参照センサー部３２、及び、センサー部１１と参照センサー部３２の間に位置するダミー部１２の形状、大きさは、使用するコントローラーＩＣの性能や設定に応じて様々な形状となる。１組分のセンサー部１１と参照センサー部３２からなるセンシングユニット３３（図３の３−１中、四角で囲った部分がその一つになる）のｘ方向、ｙ方向の周期は、これもコントローラーＩＣの性能や設定によるが、３〜１０ｍｍ程度が一般的である。光透過性配線部３１のピッチ３４（配線部０１の１本分の幅と、隣接する配線部０１との間に存在する非配線部０２の１本分の幅との和）は１００〜３００μｍ程度が一般的で、光透過性配線部３１の占める幅は、ピッチ３４に配線部０１の配線本数をかけた値になる。
【００５２】
図３で示す単層静電容量方式タッチパネルに本発明を使った場合の利点について、図１３を使って説明する。図１３においては、図３の光透過性配線部３１の１ピッチ分を図示した。また説明のため、配線部０１と非配線部０２との境界線を、実在しない仮の境界線ａで図示しており、境界線ａ上には配線部０１と非配線部０２との間の導通を断つべく断線部を設けている。
【００５３】
１３−１は比較のための光透過性導電材料であって、長軸対角線長さが２８０μｍ、短軸対角線長さが１３５μｍの菱形の単位図形を並べた網目形状の金属細線パターンである。この場合、ピッチ３４の長さは２７０μｍとなる。金属細線パターンの角度は１２−１と同様に、ｙ方向に対し２５．７°となっているため角度のモアレは発生しない。
１３−２は本発明の光透過性導電材料であって、１３−１の単位図形である菱形（主格子）の横（ｘ方向）にサテライト格子となる辺の長さが主格子の１／５の相似形菱形を配置した図である。１３−２の金属細線パターンの角度は１３−１と同様であるから、角度のモアレは発生しない。この場合のピッチ３４は１６２μｍとなる。例えば配線部０１の本数が１０本である場合の光透過性配線部の幅は、１３−１が２．７ｍｍ、１３−２が１．６２ｍｍと本発明の方が大変狭くなる。すなわち配線部０１と非配線部０２が占める面積を狭くできることが理解できる。
１３−３は１３−２の主格子同士の間（ｙ方向）に辺の長さが主格子の１／２の相似形菱形を配置した図で、本発明の光透過性導電材料となる。１３−３の場合は図１２を用いて断線確率を説明したのと同様の理由で断線確率を下げることが期待できるなど、大変好ましいものとなっている。１３−３の金属細線パターンの角度は１３−２と同様であるから、角度のモアレは発生しない。
１３−４は比較のための光透過性導電材料であって、１３−２で用いた主格子、サテライト格子と同じ菱形を配置したもので、全ての菱形で隣接する格子の数を同じとしたものである。この図形では開口率が低くなることは既に図１２でも説明しているが、それに加えて、この形状を有する光透過性導電材料の光透過性配線部の単位長さ当たりの配線抵抗は１３−１〜１３−３と全く同じとなり、導電性上の利点もない。
１３−５は比較のための光透過性導電材料であって、一辺６６．５７μｍの正方形と正八角形を組み合わせて配置した図で、開口率は１３−２と同じ９５．１１％となる。１３−５のピッチ３４は２２７．２８μｍとかなり大きく、その上、ｘ方向やｙ方向に対し０°の角度の辺を有するため、角度のモアレが発生する。
１３−６は１３−３のサテライト格子の内、辺の長さが主格子の１／２の相似形菱形を、辺の長さが主格子の１．０４倍の相似形菱形に置き換えたものであり、本発明の光透過性導電材料になる。１３−６では断線部の形状を工夫することでピッチ３４を１３−３と同じ１６２μｍとすることができる。従って、１３−２と同様の理由から角度のモアレは発生せず、１３−３と同様の理由で断線確率を下げることが期待できるため、大変好ましい。上記の説明から単層静電容量方式タッチパネルに本発明を使った場合の利点についても、良く理解できる。
【符号の説明】
【００５４】
１  光透過性導電材料
２  光透過性支持体
３、４、５  菱形
６  金属細線パターン
０１、１４、３１１、３１２  配線部
０２  非配線部
１１  センサー部
１２  ダミー部
１３  非画像部
１５  端子部
３１  光透過性配線部
３２  参照センサー部
３３  センシングユニット
３４  ピッチ
３５  単位図形のｘ方向の周期
３６  ダミー部のｘ方向の幅
３７  配線部のｘ方向の幅
４１、４７、６１、７１、８１、９１、Ａ１  メッシュ
４２、４３、４４、４５、４５、４６、４８、６２、６３、６４、６５、７２、７３、７４、８２、８３、８４、８５、９２、９３、９４、Ａ２、Ａ３、Ａ４  格子
４３１、４３２、６３１、６３２、６３４、６３５、Ａ２１、Ａ２２  頂点
４３３、６３３、Ａ２３  点線
Ｂ１、Ｂ２、Ｂ３  主格子の幅
ａ  仮の境界線
【図１】
0006591920.tif 000002
【図２】
0006591920.tif 000003
【図３】
0006591920.tif 000004
【図４】
0006591920.tif 000005
【図５】
0006591920.tif 000006
【図６】
0006591920.tif 000007
【図７】
0006591920.tif 000008
【図８】
0006591920.tif 000009
【図９】
0006591920.tif 000010
【図１０】
0006591920.tif 000011
【図１１】
0006591920.tif 000012
【図１２】
0006591920.tif 000013
【図１３】
0006591920.tif 000014